(57)【要約】【課題】  住宅、集合住宅等の建築物の開口部に設けられ、ペットや幼児の出入りを制限することができるドア装置を提供する。【解決手段】  開口部に固定される左右の縦枠及び横枠とからなる枠体と、一方の縦枠に開閉可能に取り付けられるドアパネルと、該ドアパネルの表面下方位置又は左右の縦枠の下方間位置のいずれにも着脱自在に取り付けられる出入り制限パネルと、該出入り制限パネルを上記ドアパネルの表面下方位置に着脱自在に取り付けるための戸パネル側着脱取り付け部材と、上記出入り制限パネルを上記左右の縦枠の下方間位置に着脱自在に取り付けるための枠体側着脱取り付け部材とからなり、出入りを制御しないときは、出入り制限パネルを上記ドアパネルの表面下方位置に戸パネル側着脱取り付け部材により取り付け、出入りを制御するときは、出入り制限パネルを上記左右の縦枠の下方間に枠体側着脱取り付け部材により取り付けるドア装置とする。【選択図】図２
2009281045.tif 000002
【特許請求の範囲】
【請求項１】
開口部に固定される左右の縦枠及び横枠とからなる枠体と、一方の縦枠に開閉可能に取り付けられるドアパネルと、該ドアパネルの表面下方位置又は左右の縦枠の下方間位置のいずれにも着脱自在に取り付けられる出入り制限パネルと、該出入り制限パネルを上記ドアパネルの表面下方位置に着脱自在に取り付けるための戸パネル側着脱取り付け部材と、上記出入り制限パネルを上記左右の縦枠の下方間位置に着脱自在に取り付けるための枠体側着脱取り付け部材とからなり、出入りを制御しないときは、出入り制限パネルを上記ドアパネルの表面下方位置に戸パネル側着脱取り付け部材により取り付け、出入りを制御するときは、出入り制限パネルを上記左右の縦枠の下方間に枠体側着脱取り付け部材により取り付けることを特徴とするドア装置。
【発明の詳細な説明】
【技術分野】
【０００１】
本発明は、住宅、集合住宅等の建築物の開口部に設けられ、ペットや幼児の出入りを制限することができるドア装置に関する。
【背景技術】
【０００２】
従来、住宅、集合住宅等の建築物の開口部に設けられるドア装置において、ドアを開けた状態であっても、開口部におけるペットや幼児の出入りを制限できるものとして、特許文献１に示されるものがある。
【０００３】
特許文献１に示されるものは、玄関の外方に向かって開閉可能に枠体に固定されるドアと、玄関の内方に向かって開閉可能に枠体に固定される補助ドアとからなる玄関のドア構造であって、ドアを開けた状態であっても、補助ドアを閉めておくことで、ペットや幼児の移動を制限するものである。
【特許文献１】特開２００１−２５５３０号公報
【発明の開示】
【発明が解決しようとする課題】
【０００４】
しかしながら、上記特許文献１に示されるものを、例えば、建築物内の２つの部屋の間に設けられる開口部に用いようとした場合、部屋の中にペットや幼児がいない間など、補助ドアでペットや幼児の出入りを制限する必要がないときも、補助ドアが枠体に固定されているため、開口部を通行する度にドアと補助ドアの両方を開閉する必要があり、通行の妨げになるという問題があった。また、一方の部屋にドアを開くために必要な空間を設ける必要があることに加えて、他方の部屋にも補助ドアを開くために必要な空間を設ける必要があり、取り付けることができる場所が制限されるという問題があった。
【０００５】
本発明は、係る問題点を鑑みなされたもので、住宅、集合住宅等の建築物の開口部に設けられ、ペットや幼児の出入りを制限することができるドア装置を提供することを目的とする。
【課題を解決するための手段】
【０００６】
上記目的を達成するために、請求項１に係る発明のドア装置は、開口部に固定される左右の縦枠及び横枠とからなる枠体と、一方の縦枠に開閉可能に取り付けられるドアパネルと、該ドアパネルの表面下方位置又は左右の縦枠の下方間位置のいずれにも着脱自在に取り付けられる出入り制限パネルと、該出入り制限パネルを上記ドアパネルの表面下方位置に着脱自在に取り付けるための戸パネル側着脱取り付け部材と、上記出入り制限パネルを上記左右の縦枠の下方間位置に着脱自在に取り付けるための枠体側着脱取り付け部材とからなり、出入りを制御しないときは、出入り制限パネルを上記ドアパネルの表面下方位置に戸パネル側着脱取り付け部材により取り付け、出入りを制御するときは、出入り制限パネルを上記左右の縦枠の下方間に枠体側着脱取り付け部材により取り付けることを特徴とする。
【発明の効果】
【０００７】
請求項１の発明によれば、開口部に固定される左右の縦枠及び横枠とからなる枠体と、一方の縦枠に開閉可能に取り付けられるドアパネルと、該ドアパネルの表面下方位置又は左右の縦枠の下方間位置のいずれにも着脱自在に取り付けられる出入り制限パネルと、該出入り制限パネルを上記ドアパネルの表面下方位置に着脱自在に取り付けるための戸パネル側着脱取り付け部材と、上記出入り制限パネルを上記左右の縦枠の下方間位置に着脱自在に取り付けるための枠体側着脱取り付け部材とからなり、出入りを制御しないときは、出入り制限パネルを上記ドアパネルの表面下方位置に戸パネル側着脱取り付け部材により取り付け、出入りを制御するときは、出入り制限パネルを上記左右の縦枠の下方間に枠体側着脱取り付け部材により取り付けるため、出入り制限パネルをドアパネルの表面下方位置に戸パネル側着脱取り付け部材により取り付けることで、出入り制限パネルが開口部の通行の妨げとなることなく、ドアを開閉し、開口部を通行することができる。また、出入り制限パネルを左右の縦枠の下方間に枠体側着脱取り付け部材により取り付けることで、ドアを開けた状態であっても、開口部におけるペットや幼児の出入りを制限できる。更に、開口部の周辺にドアを開くために必要な空間さえあれば設けることができる。
【発明を実施するための最良の形態】
【０００８】
以下、本発明の実施形態を図面に基づき説明する。尚、本発明は本実施形態の記載内容に限られるものではない。
【０００９】
図１はドアを閉じ、戸パネル側着脱取り付け部材Ａにより出入り制限パネルＣをドアパネル３の表面下方位置に取り付けた状態を示す正面図、図２はドアを開け、枠体側着脱取り付け部材Ｂにより出入り制限パネルＣを左右の縦枠の下方間に取り付けた状態を示す背面図である。開口部には、床６上に立設される左右の縦枠１１，１２と、これら左右の縦枠１１，１２の上部同士を連結する上枠１３とが設けられており、左右の縦枠１１，１２および上枠１３にはそれぞれ戸当たり２１，２２，２３が設けられている。開口部にはドアパネル３が上下２つの蝶番４１，４２を介して縦枠１２に支持されており、ドアパネル３の左側寄りの中間高さ位置にはレバーハンドル５が設けられている。
【００１０】
さらに、後述する出入り制限パネルＣをドアパネル３の表面下方位置に着脱自在に取り付けるための戸パネル側着脱取り付け部材Ａとして、ドアパネル３の表面には図６に示す掛部材Ａ１と図５に示す下受部材Ａ２とがそれぞれネジ（図示しない）により取り付けられており、掛部材Ａ１は、円板状の基部Ａ１１と、基部から突出する円柱状の掛部Ａ１２と、円板状の鍔部Ａ１３とから構成され、下受部材Ａ２は、平板状の基部Ａ２１と、壁部Ａ２３，Ａ２４と底部Ａ２５とからなる受部Ａ２２とから構成されている。
【００１１】
また、後述する出入り制限パネルＣを左右の縦枠１１，１２の下方間位置に着脱自在に取り付けるための枠体側着脱取り付け部材Ｂとして、縦枠１１、１２には図４に示す上固定部材Ｂ１と図５に示す下受部材Ｂ２とがそれぞれネジ（図示しない）により取り付けられており、上固定部材Ｂ１は、基部Ｂ１１とピン取付穴Ｂ１４，Ｂ１５を有する壁部Ｂ１２，Ｂ１３とから構成され、下受部材Ｂ２は、上記下受部材Ａ２と同様の構成であり、平板状の基部Ｂ２１と、壁部Ｂ２３，Ｂ２４と底部Ｂ２５とからなる受部Ｂ２２とから構成されている。なお、上固定部材Ｂ１の幅Ｕ及び下受部材Ｂ２の幅Ｓは、戸当たり２１，２２の高さＴ以下であり、開口部の幅を狭くすることがなく、通行時の邪魔にならないように設定されている。
【００１２】
そして、開口部においてペットや幼児の出入りを制限しない場合には、図１に示すように、出入り制限パネルＣの左右上部に設けられた洋ナシ形状の取付穴Ｃ１１，Ｃ２１に掛部材Ａ１を通し、出入り制限パネルＣを掛部材Ａ１の掛部Ａ１２に掛けると同時に、下受部材Ａ２の受部Ａ２２に上方から出入り制限パネルＣを挿入することで、ドアパネル３の表面に出入り制限パネルＣを取り付けることができるようになっている。開口部において、ドアを開けた状態であってもペットや幼児の出入りを制限する場合には、図２に示すように、上固定部材Ｂ１の壁部Ｂ１２，Ｂ１３間に上方から出入り制限パネルＣを挿入し、下受部材Ｂ２の受部Ｂ２２に上方から出入り制限パネルＣを挿入することで、縦枠１１，１２に出入り制限パネルＣを取り付けることができるようになっている。
【００１３】
また、上記各々の取り付け手順を逆におこなうことで、出入り制限パネルＣをドアパネル３の表面又は縦枠１１，１２から取り外すことができるようになっている。
【００１４】
戸パネル側着脱取り付け部材Ａは、出入り制限パネルＣをドアパネル３の表面下方位置に繰り返し脱着でき、且つドアを開閉してもドアパネル３から出入り制限パネルＣが外れないように確実に取り付けることができるものであれば上記のものに限定されない。
【００１５】
枠体側着脱取り付け部材Ｂは、出入り制限パネルＣを縦枠の下方間に繰り返し脱着でき、且つペットや幼児が出入り制限パネルＣにぶつかったり、寄りかかったりしても、出入り制限パネルＣが外れないように確実に取り付けることができるものであれば上記のものに限定されないが、ペットや幼児が出入り制限パネルＣを上に持ち上げて、持ち上げた出入り制限パネルＣと床６との間の空間をくぐって出ていくのを防止するために、ピン取付穴Ｂ１４，Ｂ１５に通すピンＢ３のように、出入り制限パネルＣを縦枠の下方間に固定後、出入り制限パネルＣが上に上がるのを防止する手段が設けられていることが望ましい。
【００１６】
なお、戸パネル側着脱取り付け部材Ａにより出入り制限パネルＣが取り付けられるドアパネル３の表面下方位置、及び枠体側着脱取り付け部材Ｂにより出入り制限パネルＣが取り付けられる縦枠１１，１２の下方間位置とは、出入り制限パネルＣの上端が、ペットが出入り制限パネルを飛び越えたり、幼児が乗り越えたりしない高さとなる位置であり、本実施例では、出入り制限パネルＣの上端が、レバーハンドルが取り付けられている位置まで至らない、やや下の位置に設定されている。このようにすることで、ドアの開閉時に、出入り制限パネルがレバーハンドルに当たり、ドアの開閉に支障をきたすことがない。
【００１７】
出入り制限パネルＣは、ペットや幼児が出入り制限パネルＣにぶつかったり、寄りかかったりしても、壊れない強度をもったものであれば、材料や形状は限定されず、ポリカーボネート樹脂、ＡＢＳ樹脂、ポリプロピレン樹脂等の合成樹脂、鉄、アルミニウム合金、ステンレス等の金属、合板、集成材、無垢等の木質材料等を材料として用いた、平板状のもの、格子状のもの、平板にパンチング等の手段により多数の穴を空けたもの等を用いることができる。
【００１８】
更に、本実施例では、図３に示す、右上部に貫通穴７０，７１，７２，７３，７４、右下部に貫通穴７５，７６，７７，７８，７９が設けられた平板Ｃ１と、左上部に貫通穴８０，８１，８２，８３，８４、左下部に貫通穴８５，８６，８７，８８，８９が設けられた平板Ｃ２とを、貫通穴７０と貫通穴８０、貫通穴７４と貫通穴８４、貫通穴７５と貫通穴８５、貫通穴７９と貫通穴８９、とにそれぞれ固定具Ｃ３をはめることで固定し、出入り制限パネルＣとして用いている。このような構成とすることで、例えば、本実施例の開口部より幅が広い開口部に出入り制限パネルＣを取り付けようとした場合、平板Ｃ１と平板Ｃ２とを、貫通穴７１と貫通穴８０、貫通穴７４と貫通穴８３、貫通穴７６と貫通穴８５、貫通穴７９と貫通穴８８、とにそれぞれ固定具Ｃ３をはめることで固定し、出入り制限パネルＣの幅を広くすることで対応することができる。なお、平板Ｃ１と平板Ｃ２との固定手段は、上記のものに限られるものではなく、平板Ｃ１と平板Ｃ２との固定位置が変更でき、出入り制限パネルＣの幅を調節できるものであれば特に限定されない。また、３枚以上の複数枚の平板等のパネルを上記固定手段により固定し、出入り制限パネルＣとするようにしてもよい。
【００１９】
本実施例では、床６上に立設される左右の縦枠１１，１２と、これら左右の縦枠１１，１２の上部同士を連結する上枠１３とからなる三方枠としたが、左右の縦枠と、左右の縦枠の上部同士を連結する上枠と、左右の縦枠の下部同士を連結する下枠とからなる四方枠であってもよい。
【００２０】
以上のように、本実施例によれば、開口部においてペットや幼児の出入りを制限しない場合には、掛部材Ａ１と下受部材Ａ２とからなる戸パネル側着脱取り付け部材Ａにより、出入り制限パネルＣをドアパネル３の表面下方位置に取り付けることができ、出入り制限パネルＣが開口部の通行の妨げとなることなく、ドアを開閉し、開口部を通行することができるとともに、開口部において、ドアを開けた状態であっても、ペットや幼児の出入りを制限する場合には、上固定部材Ｂ１と下受部材Ｂ２とからなる枠体側着脱取り付け部材Ｂにより、出入り制限パネルＣを縦枠１１，１２の下方間に取り付けることができ、ドアを開けた状態であっても、開口部におけるペットや幼児の出入りを制限することができる。
【産業上の利用可能性】
【００２１】
本発明のドア装置は、建築物の開口部に設けられる引き戸等の建具に応用することも可能である。
【図面の簡単な説明】
【００２２】
【図１】ドアを閉じ、戸パネル側着脱取り付け部材Ａにより出入り制限パネルＣをドアパネル３の表面下方位置に取り付けた状態を示す正面図。
【図２】ドアを開け、枠体側着脱取り付け部材Ｂにより出入り制限パネルＣを左右の縦枠の下方間に取り付けた状態を示す背面図。
【図３】出入り制限パネルＣの構成を示す正面図。
【図４】上固定部材Ｂ１を示す斜視図。
【図５】下受部材Ａ２，Ｂ２を示す斜視図。
【図６】掛部材Ａ１を示す斜視図。
【符号の説明】
【００２３】
Ａ                ・・・  戸パネル側着脱取り付け部材
Ａ１              ・・・  掛部材
Ａ１１            ・・・  基部
Ａ１２            ・・・  掛部
Ａ１３            ・・・  鍔部
Ａ２              ・・・  下受部材
Ａ２１            ・・・  基部
Ａ２２            ・・・  受部
Ａ２３，Ａ２４    ・・・  壁部
Ａ２５            ・・・  底部
Ｂ                ・・・  枠体側着脱取り付け部材
Ｂ１              ・・・  上固定部材
Ｂ１１            ・・・  基部
Ｂ１２，Ｂ１３    ・・・  壁部
Ｂ１４，Ｂ１５    ・・・  ピン取付穴
Ｂ２              ・・・  下受部材
Ｂ２１            ・・・  基部
Ｂ２２            ・・・  受部
Ｂ２３，Ｂ２４    ・・・  壁部
Ｂ２５            ・・・  底部
Ｂ３              ・・・  ピン
Ｃ                ・・・  出入り制限パネル
Ｃ１１，Ｃ２１    ・・・  取付穴
Ｃ３              ・・・  固定具
１１，１２        ・・・  縦枠
１３              ・・・  上枠
２１，２２，２３  ・・・  戸当たり
３                ・・・  ドアパネル
４１，４２        ・・・  蝶番
５                ・・・  レバーハンドル
７０〜８９        ・・・  貫通穴
【図１】
2009281045.tif 000003
【図２】
2009281045.tif 000004
【図３】
2009281045.tif 000005
【図４】
2009281045.tif 000006
【図５】
2009281045.tif 000007
【図６】
2009281045.tif 000008